(57)【特許請求の範囲】
【請求項１】
第１領域と、前記第１領域の外側を囲う第２領域との間に設けられ、前記第２領域から前記第１領域への対象動物の移動を防止する乗越防止柵であって、
前記第１領域を囲むように前記第１領域の周囲に配置されて上方に向かって起立する骨組と前記骨組に取り付けられた網部とを有し、前記第１領域と前記第２領域との間に沿って延びて前記第１領域と前記第２領域とを仕切る壁を構成する柵本体と、
前記柵本体の上端部に複数配置され、それぞれ前記柵本体の延びる方向と交差する方向に延び、その一端側が前記骨組の上端部から前記第２領域側、かつ、下方に延びるとともに地面及び前記柵本体から前記対象動物に対応する所定距離離れた位置に配され、その他端側が第１領域側、かつ、上方に延びる傾斜骨部と、
前記第１領域と前記第２領域との間に沿って延び、複数の前記傾斜骨部に渡って前記傾斜骨部上に取り付けられるとともに、その表面が平滑面を構成する板状の平滑板と、
を備えたことを特徴とする乗越防止柵。
【請求項２】
前記平滑板はトタン板で構成されていることを特徴とする請求項１記載の乗越防止柵。
【請求項３】
その頭部が曲面状に形成され、前記平滑板を前記傾斜骨部に固定するビスをさらに備えることを特徴とする請求項１に記載の乗越防止柵。
【請求項４】
前記骨組の前記第１領域側には、前記対象動物が手を掛けることが可能な係止部が設けられていることを特徴とする請求項１記載の乗越防止柵。
【発明の詳細な説明】
【技術分野】
【０００１】
本発明は、第１領域と第２領域とを仕切る柵に関し、特に、動物や人が柵を登って越えることを防止する乗越防止柵に関する。
【背景技術】
【０００２】
第１領域と第２領域との間に配置され、第１領域と第２領域とを仕切り、動物や子供等が第１領域へ侵入するのを防ぐ乗越防止柵が知られている。この種の乗越防止柵として、例えば金網やネットなどで構成される網部からなり、第１領域としての畑の周りに側部を構成し、その上方が開放された状態で、第２領域としての畑外部から動物の侵入を防止するものがある。このような構成では、猿等の対象動物が側部の網部に手を掛け、掴み、あるいは爪を掛けることにより側部を登ることができるため、第２領域から側部の上端を越えて第１領域に侵入する可能性がある。これに鑑みて、電気柵、爆音器、有刺線等を用い、対象動物が柵本体を登るのを防ぐ方法がある（例えば、特許文献１参照）。
【特許文献１】特開２００３−１５８９８６号公報
【発明の開示】
【発明が解決しようとする課題】
【０００３】
しかしながら、上記技術には次のような問題がある。すなわち電気柵、爆音器、有刺線、等を用いると構造が複雑となり、設置に要するコストが増大する。
【０００４】
そこで、本発明は、単純な構成で確実に侵入を防止することができ、製造コストを低く抑えることが可能な乗越防止柵を提供することを目的とする。
【課題を解決するための手段】
【０００５】
本発明の一形態にかかる乗越防止柵は、第１領域と、前記第１領域の外側を囲う第２領域との間に設けられ、前記第２領域から前記第１領域への対象動物の移動を防止する乗越防止柵であって、前記第１領域を囲むように前記第１領域の周囲に配置されて上方に向かって起立する骨組と前記骨組に取り付けられた網部とを有し、前記第１領域と前記第２領域との間に沿って延びて前記第１領域と前記第２領域とを仕切る壁を構成する柵本体と、前記柵本体の上端部に複数配置され、それぞれ前記柵本体の延びる方向と交差する方向に延び、その一端側が前記骨組の上端部から前記第２領域側、かつ、下方に延びるとともに地面及び前記柵本体から前記対象動物に対応する所定距離離れた位置に配され、その他端側が第１領域側、かつ、上方に延びる傾斜骨部と、前記第１領域と前記第２領域との間に沿って延び、複数の前記傾斜骨部に渡って前記傾斜骨部上に取り付けられるとともに、その表面が平滑面を構成する板状の平滑板と、を備えたことを特徴とする。
【０００６】
本発明の一形態にかかる乗越防止柵は、前記柵本体は、前記第１領域を囲むように前記第１領域の周囲に配置されたことを特徴とする。
【０００７】
本発明の一形態にかかる乗越防止柵は、その頭部が曲面状に形成され、前記平滑板を前記傾斜骨部に固定するビスをさらに備えることを特徴とする。
【０００８】
本発明の一形態にかかる乗越防止柵は、前記骨組の前記第１領域側には、前記対象動物が手を掛けることが可能な係止部が設けられていることを特徴とする。
【発明の効果】
【００１４】
本発明によれば、単純な構成で、確実に侵入を防止することができ、かつ、製造コストを低く抑えることが可能となる。
【発明を実施するための最良の形態】
【００１５】
以下、本発明の一実施形態について、図１乃至図５を参照して説明する。
【００１６】
本実施形態の乗越防止柵１０は、図１に示すように、第１領域１１と第２領域１２の間に配置され、鉛直方向上方に延びて側部を構成する柵本体２０と、この柵本体２０から下方かつ外側に延びる返し部３０（返し部材）とを備えている。本実施形態では、第１領域１１は例えば農作物が栽培されている畑であり第２領域１２は畑の外側の部分である。この第１領域１１が防護対象部分となる。
【００１７】
柵本体２０には、第１領域１１と第２領域１２、すなわち柵本体２０の内部と外部とを連通する開口と、この開口を開閉可能に構成された扉部材とを備えた施錠可能な扉部２１が設けられている。この扉部２１を介して人間が第１領域１１と第２領域１２との間を行き来できる。
【００１８】
柵本体２０は、第１領域１１の周縁に沿って、ここでは長方形に並列配置され、鉛直方向に起立して延びる複数本の縦骨部２２と、複数の縦骨部２２の間に水平に掛け渡された横骨部２３とで構成される側部骨組（骨組）２４を備え、この側部骨組２４に網部２５が取り付けられて構成されている。柵本体２０の高さＨ１は、対象動物が登ることが困難な所定の高さに設定され、例えばここでは２．６ｍ程度に設定されている。
【００１９】
図２に示すように、縦骨部２２は、第１領域１１の周縁に沿って配置され、その一端が地面Ｇに埋設されて固定された複数本の主柱２６と、この複数の主柱２６の上端部分にそれぞれ取り付けられ、主柱２６からさらに上方へ鉛直に延びる複数の副柱２７とを備えて構成され、柵本体２０を固定する機能を果たす。支柱及び副柱２７は、例えば鋼管等であり、金属から所定の径及び長さを有する直管状に構成されている。
【００２０】
横骨部２３は、縦骨部２２の地面付近の下部、地面から所定距離離れた中央部、及び上端部の３箇所にそれぞれ設けられ、水平方向に延びて柵本体２０の全周に渡って掛け渡されている。
【００２１】
網部２５は、金網またはポリエチレンや金属からなる繊維製のネットで構成され、外周側すなわち第２領域１２側から側部骨組２４を覆うように取り付けられている。例えば、下部の横骨部２３から中央の横骨部２３までの網部２５は粗い目のネットで構成され、中央の横骨部２３から上部の横骨部２３までの網部２５は細かい目のネット構成されている。
【００２２】
図３及び図４に示すように、返し部３０は、柵本体２０の上部の横骨部２３に固定されて横骨部２３と交差する方向に延びる複数の傾斜骨部３１と、これら複数の傾斜骨部３１の間に掛け渡され水平方向に延びるパイプ部材３２と、これら傾斜骨部３１及びパイプ部材３２によって構成される傾斜骨組３３を上方かつ外側から覆うように取り付けられた平滑板３４と、を備えて構成されている。
【００２３】
傾斜骨部３１は断面Ｌ字状に構成され、その一端側が副柱２７の上端から、畑の外側すなわち第２領域１２側、かつ下方に延び、その他端側が畑の内側すなわち第１領域１１側、かつ、上方に向かって延びるように傾斜している。傾斜骨部３１の長手方向両端部には、パイプ部材３２を取り付けるための挿通孔を有する取付部３５が設けられている。複数の傾斜骨部３１に形成された複数のパイプ挿通孔に挿通固定されることにより上下のパイプ部材３２が複数の傾斜骨部３１の端部同士の間を通ってそれぞれ水平に掛け渡されている。
【００２４】
図５に示すように、平滑板３４は例えばトタンの平板で構成され、外周側（第２領域１２側）かつ上側から傾斜骨組３３を覆うように傾斜骨組３３に対してビス３６を介して固定されている。平滑板３４の表裏面は、対象動物の爪や手が掛からない平滑面を構成している。
【００２５】
固定用のビス３６のうち平滑板３４の表面側に露出する頭部の寸法、形状及びビス止めの間隔は、対象動物が手を掛けて登り進めることができない所定の寸法及び形状に構成されている。ここでは、例えばビス３６の頭部の表面は曲面状であるとともにその外径が10ｍｍ程度に構成され、隣接するビス３６同士は１．２ｍ間隔で設けられている。
【００２６】
図３に示すように、返し部３０の平滑板３４の角度や寸法は、例えば乗越防止の対象となる対象動物の大きさや、形成する影の大きさ、空気抵抗などを考慮して、例えば柵本体２０や地面Ｇから返し部３０に手を伸ばすことができないように返し部３０の下端部が網部２５や地面Ｇから所定距離離間している。また、平滑板３４は、その下端部に対象動物がたどり着いたとしても返し部３０の上端まで登り進めることができない所定の幅を有している。例えばここでは、平滑板３４の幅Ｗ１が１ｍに設定され、平滑板３４の傾斜角度（平滑板３４と水平面との間の角度）θ１は５３度に設定されている。
【００２７】
また、平滑板３４は、その中央近傍、例えば下から６０ｃｍの部分において縦骨部２２の上端に取り付けられている。したがって、ここでは、柵本体２０の上端からさらに上方かつ内側に４０ｃｍ伸び、柵本体２０の上端から下方かつ外側に６０ｃｍが伸びている。このように、上方に延びる延出部分３７を設定することで、柵本体２０の高さＨ１を大きくすることなく返し部３０の幅Ｗ１を確保することが可能となる。
【００２８】
以上のように構成された乗越防止柵１０においては、対象動物が網部２５に手を掛け、網部２５を伝って上方に登ることができたとしても、そこから、下方及び外方に延びた返し部３０に手が届かないため、それ以上進むことができない。また、この返し部３０は爪や手を掛ける部分がない平滑板３４で構成されているため、対象動物が登ることができない。
【００２９】
本実施形態にかかる乗越防止柵１０は、以下に掲げる効果を奏する。すなわち、平滑な返し部３０を備えただけの単純な構成で、確実に乗越えを防止することができるため設置費用を低く押さえることができる。また、柵本体２０の側部の壁をネットや網などで構成し、かつ、上方を開放したことにより、第１領域１１の高い通気性や日当たりを確保し、空気抵抗を低く保つことができる。さらに、有刺線や電気柵など、対象動物を脅かすことで侵入を妨げる方法ではなく、危害を加えずに侵入を防止することが可能である。
【００３０】
また、網部２５部及び平滑板３４は外側すなわち第２領域１２側から側部骨組２４に取り付け、第１領域１１側に対象動物の手がかかる係止部となる横骨部２３またはパイプ部材３２を露出させたことにより、第１領域１１側から第２領域１２側へ移動することが、第２領域１２側から第１領域１１側へ移動するよりも容易となる。したがって、対象動物が第１領域１１側へ入ってしまった場合にはすぐに脱出させることが可能となる。
【００３１】
さらに、返し部３０を伝熱性の高いトタン板で構成したため、例えば外気の温度が高い時は熱くなり、外気の温度が低いときには冷たくなるため、対象動物がより登り辛くすることができる。
【００３２】
［第２実施形態］
次に本発明の第２実施形態に係る乗越防止柵４０について図６を参照して説明する。なお、第１領域１１と第２領域１２の設定以外については上記第１実施形態と同様であるため、説明を省略する。
【００３３】
本実施形態における第１領域１１は柵本体２０の外部に設定され、第２領域１２は例えば乗越防止柵４０で囲まれている内部に設定されている。この第２領域１２が防護対象部分となる。複数の傾斜骨組３３は、柵本体２０の上端部から内側（第２領域１２側）かつ下方に延びる部分と、柵本体２０の上端部から外側（第１領域１１側）かつ上方に延びる部分とを有して構成されている。また、平滑板３４は、傾斜骨組３３みの内側（第２領域１２側）かつ上方から覆うように、傾斜骨組３３に取り付けられている。
【００３４】
このように構成された乗越防止柵４０においても上記第１実施形態と同様に、第２領域１２から第１領域１１への侵入が防止される。したがって、例えば動物園等の檻や、動物防護用の柵として用いることが可能である。
【００３５】
さらに、平滑板３４は傾斜骨組３３みの第２領域１２側すなわち内側かつ上方から覆うように傾斜骨組３３に取り付けられているため、傾斜骨組３３が係止部として機能することにより、外側から内側に入りやすく、内側から外側に出にくい構造とすることができる。したがって、動物の捕獲にも適用できる。
【００３６】
なお、本発明は上記各実施形態に限定されるものではなく、本発明を実施するにあたり、各構成部材の具体的な形状や材質など、本発明の構成要素を発明の要旨を逸脱しない範囲で種々に変更して実施できることは言うまでもない。例えば平滑板３４としてはトタンに限らずアクリル板など他の材料を用いることができる。
【００３７】
対象動物は、猿に限らず、猪、狸、鹿、ハクビシンや人間等の他の動物に対しても適用できる。上記第１実施形態においては第１領域１１が畑であって、第２領域１２である畑外部から対象動物が侵入するのを防止する場合について例示したが、これに代えて、第１領域１１が例えば貯水池や変電所などの危険区域であって、第２領域１２である外側から人間の子供が第１領域としての危険区域に侵入するのを防止する場合にも適用可能である。この場合であっても、平滑な返し部３０によって、子供が柵本体２０を乗越えて第１領域１１側に侵入するのを防止することができる。
【００３８】
また、上記実施形態においては、返し部３０が柵本体２０に取り付けられている場合について説明したが、返し部３０を柵本体２０に着脱可能として独立して構成して返し部材を構成してもよい。この場合には、従前からある柵に取り付けることで容易に設置できる。
【００３９】
さらに、上記実施形態では返し部３０は柵本体２０の上端部に配置される場合について例示したが、必ずしも上端でなくてもよく、対象動物が容易に到達できない中腹部分等に設けられていてもよい。
【００４０】
さらに、返し部３０は、上方かつ第１領域１１側に延びる延出部分３７を省略してもよく、例えば、図７に示すように、柵本体２０の上端部から下方かつ第２領域１２側に傾斜するものであってもよい。
【００４１】
また、上記実施形態の構成に加え、横骨部２３の上端にフック等を設け、開放された上方にさらに網部で塞ぐように構成してもよい。このような構成により防鳥対策を併用することが可能となる。
【００４２】
この他、本発明は上記各実施形態そのままに限定されるものではなく、実施段階では、適宜その構成要素を変形して具体化できる。
以下に、本願出願の当初の特許請求の範囲に記載された発明を付記する。
［１］  第１領域と第２領域との間に配置され、上方に延び前記第１領域と前記第２領域とを仕切る壁を構成する柵本体と、
前記柵本体に設けられ、前記第２領域側、かつ、下方に延びるとともに、その下端部が地面及び前記柵本体から対象動物に対応する所定距離離れた位置に配され、少なくともその上側の表面における下縁側に平滑面を有する返し部と、
を備えたことを特徴とする乗越防止柵。
[２]  前記柵本体は、前記第１領域を囲むように前記第１領域の周囲に配置されたことを特徴とする［１］記載の乗越防止柵。
[３]  前記柵本体は、前記第２領域を囲むように前記第２領域の周囲に配置されたことを特徴とする［１］記載の乗越防止柵。
[４]  前記返し部は前記柵本体の全周に設けられるとともにその上側の表面全域が平滑面を構成することを特徴とする［２］または［３］に記載の乗越防止柵。
[５]  前記柵本体は網で構成されるとともに前記返し部はトタン板で構成されていることを特徴とする［１］記載の乗越防止柵。
[６]  前記返し部は前記柵本体の上端に配されるとともに、前記柵本体の上端から連続して前記第１領域側、かつ、上方に向かって延びる延出部を備えたことを特徴とする［１］記載の乗越防止柵。
[７]  前記第１領域側には、対象動物が手を掛けることが可能な係止部が設けられていることを特徴とする［１］記載の乗越防止柵。
[８]  第１領域と第２領域との間に配置されて上方に向かって起立する骨組と前記骨組に取り付けられた網部とを有し、前記第１領域と前記第２領域との間に沿って延びて前記第１領域と前記第２領域とを仕切る壁を構成する柵本体と、
前記柵本体の上端部に複数配置され、それぞれ前記柵の延びる方向と交差する方向に延び、その一端側が前記骨組の上端部から前記第２領域側、かつ、下方に延び、その他端側が第１領域側、かつ、上方に延びる傾斜骨部と、
前記第１領域と前記第２領域との間に沿って延び、複数の前記傾斜骨部に渡って前記傾斜骨部上に取り付けられるとともに、その表面が平滑面を構成する板状の平滑板と、
を備えたことを特徴とする乗越防止柵。
[９]  柵に取り付けられる乗越防止用の返し部材であって、
第１領域と第２領域との間に配置されて上方に延び前記第１領域と前記第２領域とを仕切る壁を構成する柵本体に設けられ、前記第２領域側、かつ、下方に延びるとともに、その下端部が地面から対象動物に対応する所定距離離れた高さに配置され、少なくともその上側の表面における下縁側に平滑面を有することを特徴とする返し部材。
【図面の簡単な説明】
【００４３】
【図１】本発明の第１実施形態に係る乗越防止柵の構成を示す斜視図。
【図２】同乗越防止柵の要部の構成を示す斜視図。
【図３】同乗越防止柵の要部の構成を示す側面図。
【図４】同乗越防止柵の要部の構成を拡大して示す斜視図。
【図５】同乗越防止柵の要部の構成を拡大して示す斜視図。
【図６】本発明の第２実施形態に係る乗越防止柵の構成を示す斜視図。
【図７】本発明の他の実施形態に係る乗越防止柵の要部の構成を示す側面図。
【符号の説明】
【００４４】
Ｇ…地面、θ１…傾斜角度、１０…乗越防止柵、１１…第１領域、１２…第２領域、
２０…柵本体、２１…扉部、２２…縦骨部、２３…横骨部、２４…側部骨組（骨組）、
２５…網部、３０…返し部、３１…傾斜骨部、３３…傾斜骨組、３４…平滑板、３７…延出部分、４０…乗越防止柵。
【図１】
0004898580.tif 000002
【図２】
0004898580.tif 000003
【図３】
0004898580.tif 000004
【図４】
0004898580.tif 000005
【図５】
0004898580.tif 000006
【図６】
0004898580.tif 000007
【図７】
0004898580.tif 000008